(57)【要約】【課題】カールが生じ難く、且つ、型の賦型構造を精度良く写し取った面形状を有する賦型フィルムを容易に製造できる製造方法を提供する。【解決手段】外周面に賦型構造を有する無端ベルトと無端ベルトの外周面に対向した押圧面を有する押圧具とを備えた賦型装置によって、賦型構造から写し取られた面形状を有する賦型フィルムを連続的に製造する製造方法であって、無端ベルトの外周面と押圧具の押圧面との間に樹脂フィルムを搬送する工程と、無端ベルトの外周面と押圧具の押圧面との間で樹脂フィルムをガラス転移温度以上の温度にした状態で挟圧して、樹脂フィルムに無端ベルトの外周面の賦型構造を写し取る工程と、樹脂フィルムを無端ベルトの外周面と接触し且つ平坦な状態でガラス転移温度未満に冷却する工程と、樹脂フィルムを無端ベルトの外周面から剥離して賦型フィルムを得る工程とを、この順で含む。【選択図】図１
2015182235.tif 000002
【特許請求の範囲】
【請求項１】
外周面に賦型構造を有する無端ベルトと前記無端ベルトの外周面に対向した押圧面を有する押圧具とを備えた賦型装置によって、前記賦型構造から写し取られた面形状を有する賦型フィルムを連続的に製造する製造方法であって、
前記無端ベルトの外周面と前記押圧具の押圧面との間に樹脂フィルムを搬送する工程と、
前記無端ベルトの外周面と前記押圧具の押圧面との間で、前記樹脂フィルムを前記樹脂フィルムのガラス転移温度以上の温度にした状態で、前記樹脂フィルムを挟圧して、前記樹脂フィルムに前記無端ベルトの外周面の賦型構造を写し取る工程と、
前記樹脂フィルムを、前記無端ベルトの外周面と接触し且つ平坦な状態で、前記樹脂フィルムのガラス転移温度未満に冷却する工程と、
前記樹脂フィルムを前記無端ベルトの外周面から剥離して、賦型フィルムを得る工程とを、この順で含む、賦型フィルムの製造方法。
【請求項２】
前記樹脂フィルムに前記賦型構造を写し取る工程の前に、
前記樹脂フィルムを所定温度に維持する予備温調工程をさらに備える、請求項１に記載の賦型フィルムの製造方法。
【請求項３】
前記賦型装置が、前記無端ベルトを加熱しうるヒーターを備え、
前記予備温調工程が、前記ヒーターによって加熱された前記無端ベルトによって前記樹脂フィルムを加熱することを含む、請求項２記載の賦型フィルムの製造方法。
【請求項４】
前記賦型装置が、非接触型ヒーターを備え、
前記予備温調工程が、前記非接触型ヒーターによって前記樹脂フィルムを加熱することを含む、請求項２又は３記載の賦型フィルムの製造方法。
【請求項５】
前記無端ベルトが、前記無端ベルトの外周面の全体に賦型構造を有する、請求項１〜４のいずれか一項に記載の賦型フィルムの製造方法。
【請求項６】
前記無端ベルトが、前記無端ベルトの外周面の、前記樹脂フィルムの幅方向の両端部に接しうる領域だけに、賦型構造を有する、請求項１〜４のいずれか一項に記載の賦型フィルムの製造方法。
【請求項７】
前記無端ベルトの外周面と前記押圧具の押圧面との間に樹脂フィルムを搬送する工程の前に、
ダイから樹脂をフィルム状に押し出して前記樹脂フィルムを製造する工程と、
製造された前記樹脂フィルムの幅方向の両端部を切り除く工程とを含む、請求項１〜６のいずれか一項に記載の賦型フィルムの製造方法。
【請求項８】
前記無端ベルトの外周面と前記押圧具の押圧面との間で挟圧されてから、前記樹脂フィルムのガラス転移温度未満に冷却されるまでの期間に、前記樹脂フィルムが、前記無端ベルトの外周面と接触し且つ平坦な状態を維持する、請求項１〜７のいずれか一項に記載の賦型フィルムの製造方法。
【請求項９】
長尺の樹脂フィルムから賦型フィルムを製造するための製造装置であって、
周回可能に設けられた、外周面に賦型構造を有する無端ベルトと、
前記無端ベルトの外周面に対向した押圧面を有し、前記無端ベルトの外周面と前記押圧面との間で樹脂フィルムを挟圧しうる押圧具と、
樹脂フィルムを加熱して、前記無端ベルトの外周面と前記押圧具の押圧面との間で挟圧される樹脂フィルムの温度を、前記樹脂フィルムのガラス転移温度以上に加熱しうるヒーターと、
前記無端ベルトの外周面と前記押圧具の押圧面との間で挟圧された樹脂フィルムを、前記無端ベルトの外周面に接触した状態で、前記樹脂フィルムのガラス転移温度未満に冷却しうる冷却器と、
前記冷却器によって冷却された樹脂フィルムを、前記無端ベルトから剥離しうる剥離機とを備え、
前記無端ベルトは、前記冷却器によって樹脂フィルムが冷却される領域において、平坦な状態で周回しうるように設けられている、賦型フィルムの製造装置。
【発明の詳細な説明】
【技術分野】
【０００１】
本発明は、表面に賦型処理を施された賦型フィルムを連続的に製造するための製造方法及び製造装置に関する。
【背景技術】
【０００２】
長尺の樹脂フィルムには、例えばハンドリング性の向上のために、その表面に凹部又は凸部を形成することがある。このように表面に凹部又は凸部を有する樹脂フィルムは「賦型フィルム」と呼ばれる。賦型フィルムの製造方法は、従来から様々に検討されてきた。
【０００３】
例えば特許文献１及び２には、ダイから溶融状態でフィルム状に押し出された樹脂に、賦型構造を有する型を圧着させることによってその型の賦型構造の形状を写し取り、その後に樹脂を固化させて賦型フィルムを製造する方法が記載されている。
【先行技術文献】
【特許文献】
【０００４】
【特許文献１】特開２００２−３０１７５１号公報
【特許文献２】特開２０１０−１０００３１号公報
【発明の概要】
【発明が解決しようとする課題】
【０００５】
しかしながら、従来の技術では、型の賦型構造を精度良く写し取ることが難しかった。また、従来の技術では、製造された賦型フィルムにカールが生じ易かった。そのため、カールが生じ難く、且つ、型の賦型構造を精度良く写し取った面形状を有する賦型フィルムを容易に製造できる製造技術の開発が望まれていた。
【０００６】
本発明は前記の課題に鑑みて創案されたもので、カールが生じ難く、且つ、型の賦型構造を精度良く写し取った面形状を有する賦型フィルムを容易に製造できる製造方法及び製造装置を提供することを目的とする。
【課題を解決するための手段】
【０００７】
本発明者は前記の課題を解決するべく鋭意検討した結果、賦型構造を有する型として無端ベルトを用いて、この無端ベルトの賦型構造を樹脂フィルムに写し取る工程と、樹脂フィルムを無端ベルトに接触し且つ平坦な状態で冷却する工程と、樹脂フィルムを無端ベルトから剥離して賦型フィルムを得る工程とを含む製造方法により、カールが生じ難く、且つ、賦型構造を精度良く写し取った面形状を有する賦型フィルムを容易に製造できることを見出し、本発明を完成させた。
すなわち、本発明は以下の通りである。
【０００８】
〔１〕  外周面に賦型構造を有する無端ベルトと前記無端ベルトの外周面に対向した押圧面を有する押圧具とを備えた賦型装置によって、前記賦型構造から写し取られた面形状を有する賦型フィルムを連続的に製造する製造方法であって、
前記無端ベルトの外周面と前記押圧具の押圧面との間に樹脂フィルムを搬送する工程と、
前記無端ベルトの外周面と前記押圧具の押圧面との間で、前記樹脂フィルムを前記樹脂フィルムのガラス転移温度以上の温度にした状態で、前記樹脂フィルムを挟圧して、前記樹脂フィルムに前記無端ベルトの外周面の賦型構造を写し取る工程と、
前記樹脂フィルムを、前記無端ベルトの外周面と接触し且つ平坦な状態で、前記樹脂フィルムのガラス転移温度未満に冷却する工程と、
前記樹脂フィルムを前記無端ベルトの外周面から剥離して、賦型フィルムを得る工程とを、この順で含む、賦型フィルムの製造方法。
〔２〕  前記樹脂フィルムに前記賦型構造を写し取る工程の前に、
前記樹脂フィルムを所定温度に維持する予備温調工程をさらに備える、〔１〕に記載の賦型フィルムの製造方法。
〔３〕  前記賦型装置が、前記無端ベルトを加熱しうるヒーターを備え、
前記予備温調工程が、前記ヒーターによって加熱された前記無端ベルトによって前記樹脂フィルムを加熱することを含む、〔２〕記載の賦型フィルムの製造方法。
〔４〕  前記賦型装置が、非接触型ヒーターを備え、
前記予備温調工程が、前記非接触型ヒーターによって前記樹脂フィルムを加熱することを含む、〔２〕又は〔３〕記載の賦型フィルムの製造方法。
〔５〕  前記無端ベルトが、前記無端ベルトの外周面の全体に賦型構造を有する、〔１〕〜〔４〕のいずれか一項に記載の賦型フィルムの製造方法。
〔６〕  前記無端ベルトが、前記無端ベルトの外周面の、前記樹脂フィルムの幅方向の両端部に接しうる領域だけに、賦型構造を有する、〔１〕〜〔４〕のいずれか一項に記載の賦型フィルムの製造方法。
〔７〕  前記無端ベルトの外周面と前記押圧具の押圧面との間に樹脂フィルムを搬送する工程の前に、
ダイから樹脂をフィルム状に押し出して前記樹脂フィルムを製造する工程と、
製造された前記樹脂フィルムの幅方向の両端部を切り除く工程とを含む、〔１〕〜〔６〕のいずれか一項に記載の賦型フィルムの製造方法。
〔８〕  前記無端ベルトの外周面と前記押圧具の押圧面との間で挟圧されてから、前記樹脂フィルムのガラス転移温度未満に冷却されるまでの期間に、前記樹脂フィルムが、前記無端ベルトの外周面と接触し且つ平坦な状態を維持する、〔１〕〜〔７〕のいずれか一項に記載の賦型フィルムの製造方法。
〔９〕  長尺の樹脂フィルムから賦型フィルムを製造するための製造装置であって、
周回可能に設けられた、外周面に賦型構造を有する無端ベルトと、
前記無端ベルトの外周面に対向した押圧面を有し、前記無端ベルトの外周面と前記押圧面との間で樹脂フィルムを挟圧しうる押圧具と、
樹脂フィルムを加熱して、前記無端ベルトの外周面と前記押圧具の押圧面との間で挟圧される樹脂フィルムの温度を、前記樹脂フィルムのガラス転移温度以上に加熱しうるヒーターと、
前記無端ベルトの外周面と前記押圧具の押圧面との間で挟圧された樹脂フィルムを、前記無端ベルトの外周面に接触した状態で、前記樹脂フィルムのガラス転移温度未満に冷却しうる冷却器と、
前記冷却器によって冷却された樹脂フィルムを、前記無端ベルトから剥離しうる剥離機とを備え、
前記無端ベルトは、前記冷却器によって樹脂フィルムが冷却される領域において、平坦な状態で周回しうるように設けられている、賦型フィルムの製造装置。
【発明の効果】
【０００９】
本発明の製造方法及び製造装置によれば、カールが生じ難く、且つ、型の賦型構造を精度良く写し取った面形状を有する賦型フィルムを容易に製造できる。
【図面の簡単な説明】
【００１０】
【図１】図１は、本発明の第一実施形態に係る賦型フィルムの製造装置を模式的に示す正面図である。
【図２】図２は、本発明の第一実施形態に係る賦型装置を模式的に示す斜視図である。
【図３】図３は、本発明の第一実施形態に係る賦型装置を模式的に示す斜視図である。
【図４】図４は、型としてローレットロールを用いた賦型フィルムの製造装置を模式的に示す正面図である。
【図５】図５は、本発明の第二実施形態に係る賦型フィルムの製造装置を模式的に示す正面図である。
【図６】図６は、本発明の第三実施形態に係る賦型フィルムの製造装置を模式的に示す正面図である。
【図７】図７は、本発明の第四実施形態に係る賦型フィルムの製造装置を模式的に示す正面図である。
【図８】図８は、本発明の第五実施形態に係る賦型フィルムの製造装置を模式的に示す正面図である。
【図９】図９は、一例としての無端ベルトを、賦型構造が形成された領域において厚み方向に平行に切った断面を模式的に示す断面図である。
【発明を実施するための形態】
【００１１】
以下、本発明について実施形態及び例示物を示して詳細に説明する。ただし、本発明は以下に示す実施形態及び例示物に限定されるものではなく、本発明の特許請求の範囲及びその均等の範囲を逸脱しない範囲において任意に変更して実施しうる。
【００１２】
以下の説明において、要素の方向が「平行」とは、特に断らない限り、本発明の効果を損ねない範囲内、例えば±５°の範囲内での誤差を含んでいてもよい。
【００１３】
さらに、以下の説明において「長尺」のフィルムとは、幅に対して、少なくとも５倍以上の長さを有するフィルムをいい、好ましくは１０倍若しくはそれ以上の長さを有し、具体的にはロール状に巻き取られて保管又は運搬される程度の長さを有するフィルムをいう。
【００１４】
また、以下の説明において、別に断らない限り、「搬送方向」とはフィルムの搬送方向を指し、「幅方向」とはフィルムの幅方向を指し、「上流」とはフィルムの搬送方向における上流を指し、「下流」とはフィルムの搬送方向における下流を指す。また、別に断らない限り、以下の実施形態ではフィルムは長手方向に平行に搬送されるので、搬送方法と長手方向とは平行である。
【００１５】
［第一実施形態］
図１は、本発明の第一実施形態に係る賦型フィルムの製造装置１を模式的に示す正面図である。
図１に示すように、本発明の第一実施形態に係る製造装置１は、樹脂フィルム製造装置１００、トリミング装置２００、賦型装置３００及び巻回装置４００を、上流からこの順に備える。
【００１６】
樹脂フィルム製造装置１００は、溶融押出法によって長尺の樹脂フィルム１０を製造しうる装置であって、ダイ１１０及び冷却ロール１２０を備える。ダイ１１０は、図示しない樹脂供給装置から溶融樹脂を供給され、その溶融樹脂をフィルム状に押し出して樹脂フィルム１０を得られるように設けられている。また、冷却ロール１２０は、ダイ１１０から押し出された溶融状態の樹脂フィルム１０を受け、その樹脂フィルム１０を冷却して固化させうるように設けられている。
【００１７】
トリミング装置２００は、連続的に搬送される樹脂フィルム１０から、当該樹脂フィルム１０の幅方向の両端部１１を切り除きうる装置であって、対に設けられたトリミングナイフ２１０及び２２０と、樹脂フィルム１０から切り除かれた両端部１１を案内しうる搬送ロール２３０とを備える。樹脂フィルム１０においては、一般に、幅方向の両端部１１の間の領域である中間領域と比べて、両端部１１は厚み精度が低い。そのため、本実施形態においては、両端部１１を切り除いた樹脂フィルム１２を用いて、賦型フィルム２０の製造を行う例を示す。
【００１８】
対に設けられたトリミングナイフ２１０及び２２０のうち、一方のトリミングナイフ２１０と他方のトリミングナイフ２２０とは、樹脂フィルム１０の搬送路を挟んで互いに反対側に設けられている。また、これらのトリミングナイフ２１０及び２２０は、樹脂フィルム１０上の点において刃が触れ合うように設けられている。そのため、トリミング装置２００は、これらのトリミングナイフ２１０及び２２０の間を搬送される樹脂フィルム１０を、長手方向に連続的に切断できる構成を有している。
【００１９】
また、これらのトリミングナイフ２１０及び２２０は、樹脂フィルム１０の両端部１１とそれ以外の領域（中間領域）との境界部分にそれぞれ設けられている。そのため、トリミング装置２００は、樹脂フィルム１０から幅方向の中間領域を除く部分として両端部１１を切り除ける構成を有している。
【００２０】
搬送ロール２３０は、樹脂フィルム１０から切り除かれた両端部１１を、樹脂フィルム１０の中間領域とは別に案内できるように設けられている。そのため、トリミング２００は、樹脂フィルム１０の両端部１１を、賦型フィルム２０の製造に用いる樹脂フィルム１２とは別に回収できる構成を有している。
【００２１】
図２は、本発明の第一実施形態に係る賦型装置３００を模式的に示す斜視図である。
図２に示すように、賦型装置３００は、無端ベルト３１０、押圧具としての押圧ロール３２０、ヒーターとしての加熱ロール３３０、駆動ロール３４０、冷却器としての冷媒噴射器３５０、及び、剥離機としての剥離ロール３６０を備える。
【００２２】
無端ベルト３１０は、加熱ロール３３０及び駆動ロール３４０の間に周回可能に架けられた、外周面３１１に賦型構造３１２を有する無端状のベルトである。賦型構造３１２とは、無端ベルト３１０の外周面３１１に設けられた凹部、凸部、又は、凹部及び凸部の組み合わせのことを示す。この賦型構造３１２は、無端ベルト３１０の外周面３１１において、「当該賦型構造３１２を写し取らせたい樹脂フィルム１２の領域」と接しうる領域に設けられる。本実施形態においては、無端ベルト３１０の外周面３１１の、樹脂フィルム１２の幅方向の両端部に接しうる領域だけに賦型構造３１２が設けられた例を示す。
【００２３】
無端ベルト３１０が架けられた加熱ロール３３０及び駆動ロール３４０は、互いの回転軸が平行に設けられている。そのため、加熱ロール３３０及び駆動ロール３４０の間に架けられた無端ベルト３１０は、加熱ロール３３０及び駆動ロール３４０の間の領域３１３を周回するとき、そのベルト形状が平坦な状態となる構成を有している。ここで「平坦な状態」とは、曲がったり折れたりしないで平らになっている状態をいう。
【００２４】
押圧ロール３２０は、凹部及び凸部の無い滑らかな外周面として押圧面３２１を有する、回転可能に設けられたロールである。押圧ロール３２０は、当該押圧ロール３２０の押圧面３２１が無端ベルト３１０の外周面３１１に対向するように設けられている。また、押圧ロール３２０は、無端ベルト３１０に向けた押圧力を与えられている。そのため、押圧ロール３２０は、当該押圧ロール３２０の押圧面３２１と無端ベルト３１０の外周面３１１との間で樹脂フィルム１２を挟圧しうる構成を有している。
【００２５】
押圧ロール３２０は、当該押圧ロール３２０の回転軸と加熱ロール３３０の回転軸とが平行となるように設けられている。また、押圧ロール３２０は、無端ベルト３１０の周回方向において、無端ベルト３１０が加熱ロール３３０と接触する領域のうちで最も下流の領域３１４において、無端ベルト３１０と対向するように設けられている。そのため、加熱ロール３３０と接触して周回する無端ベルト３１０の外周面３１１は、押圧ロール３２０の押圧面３２１との間で樹脂フィルム１２を挟圧する時点までは加熱ロール３３０に沿った曲面となっているが、挟圧時点以降は平坦な状態となって周回しうる構成を有している。
【００２６】
加熱ロール３３０は、無端ベルト３１０を架けられたロールであり、無端ベルト３１０の周回に連動して回転できるように設けられている。また、加熱ロール３３０は、温度調整可能なロールであり、この加熱ロール３３０の熱によって無端ベルト３１０を所望の温度まで加熱できる構成を有する。前記の所望の温度とは、当該加熱ロール３３０によって加熱された無端ベルト３１０によって、無端ベルト３１０の外周面３１１と押圧ロール３２０の押圧面３２１との間で挟圧される樹脂フィルム１２の温度を、当該樹脂フィルム１２のガラス転移温度以上に加熱しうる温度である。したがって、加熱ロール３３０は、樹脂フィルム１２を加熱するヒーターとして機能しうる構成を有する。
【００２７】
駆動ロール３４０は、無端ベルト３１０を架けられたロールであり、図示しないモーター等の駆動装置の駆動力によって回転できるように設けられている。したがって、無端ベルト３１０は、この駆動ロール３４０の回転により駆動されて周回できる構成を有している。
【００２８】
冷媒噴射器３５０は、無端ベルト３１０と接触しながら搬送される樹脂フィルム１２を冷却するための冷却器であって、冷媒として流体（例えば、エア等の気体、水等の液体）を噴射しうるノズル３５１を備える。冷媒噴射器３５０は、このノズル３５１から矢印Ａ３５１で示すように無端ベルト３１０の内周面３１５に冷媒を噴射することで無端ベルト３１０を所望の温度まで冷却できる構成を有する。前記の所望の温度とは、当該冷媒噴射器３５０によって冷却された無端ベルト３１０によって、無端ベルト３１０の外周面３１１に接触した樹脂フィルム１２の温度を、当該樹脂フィルム１２のガラス転移温度未満に冷却しうる温度である。また、冷媒噴射器３５０は、無端ベルト３１０の加熱ロール３３０及び駆動ロール３４０の間の領域３１３を冷却できるように設けられている。前記のように、無端ベルト３１０の加熱ロール３３０及び駆動ロール３４０の間の領域３１３においては、そのベルト形状は平坦な形状となる。そのため、冷媒噴射器３５０は、樹脂フィルム１２を、無端ベルト３１０の外周面３１１に接触し且つ平坦な状態で、樹脂フィルム１２のガラス転移温度未満に冷却しうる構成を有する。
【００２９】
剥離ロール３６０は、無端ベルト３１０に接触した状態で搬送される樹脂フィルム１２を、無端ベルト３１０から剥離しうるロールである。剥離ロール３６０は、無端ベルト３１０の周回方向において、無端ベルト３１０の加熱ロール３３０及び駆動ロール３４０の間の領域３１３よりも下流に、回転可能に設けられている。そのため、剥離ロール３６０は、冷媒噴射器３５０からの冷媒の噴射によって冷却された樹脂フィルム１２を、無端ベルト３１０から剥離して、賦型フィルム２０を得られる構成を有している。
【００３０】
図１に示すように、巻回装置４００は、賦型フィルム２０を巻き取るための巻取り軸４１０を備える。巻取り軸４１０は、図示しないモーター等の駆動装置によって、回転駆動されるように設けられている。そのため、巻回装置４００は、巻取り軸４１０で賦型フィルム２０をロール状に巻き取ることにより、フィルムロール３０を製造できる構成を有する。
【００３１】
本発明の第一実施形態に係る製造装置１は以上のような構成を有する。この製造装置１を用いて賦型フィルム２０を製造する場合は、以下のような製造方法を行なう。
【００３２】
本発明の第一実施形態に係る製造方法は、樹脂フィルム製造装置１００において長尺の樹脂フィルム１０を製造する押出成型工程と、トリミング装置２００において樹脂フィルム１０の幅方向の両端部１１を切り除くトリミング工程と、樹脂フィルム１２に無端ベルト３１０の賦型構造３１２を写し取って賦型フィルム２０を得る賦型工程と、巻回装置４００において賦型フィルム２０を巻き取ってフィルムロール３０を得る巻回工程とを、この順に含む。これらの工程は、いずれも、長尺の樹脂フィルム１０及び１２又は賦型フィルム２０を長手方向に連続的に搬送しながら行なわれる。
【００３３】
前記のように、樹脂フィルム製造装置１００では、押出成型工程を行なう。この押出成型工程では、図１に示すように、ダイ１１０から溶融樹脂をフィルム状に押し出して樹脂フィルム１０を製造し、その樹脂フィルム１０を冷却ロール１２０によって冷やして固化させることで、長尺の樹脂フィルム１０を得る。この樹脂フィルム１０は、通常は均一な厚みを有し、その両方の面が凹部及び凸部の無い滑らかな面となっている。こうして得られた樹脂フィルム１０は、トリミング装置２００へと送られる。
【００３４】
樹脂フィルム製造装置１００で製造された樹脂フィルム１０を受け取ったトリミング装置２００は、トリミング工程を行なう。トリミング工程では、トリミングナイフ２１０及び２２０によって、当該樹脂フィルム１０の幅方向の両端部１１を、樹脂フィルム１０から切り除く。両端部１１を切り除いた中間領域に相当する樹脂フィルム１２は、賦型装置３００へと送られる。また、切り除かれた樹脂フィルム１０の両端部１１は、搬送ロール２３０によって樹脂フィルム１２とは別に搬送されて、回収される。
【００３５】
図３は、本発明の第一実施形態に係る賦型装置３００を模式的に示す斜視図である。
図３に示すように、トリミング装置２００で幅方向の両端部１１を切り除かれた樹脂フィルム１２を受け取った賦型装置３００は、樹脂フィルム１２に無端ベルト３１０の賦型構造３１２（図２参照）を写し取って、賦型フィルム２０を製造する工程を行なう。
【００３６】
具体的には、トリミング装置２００から送られてきた樹脂フィルム１２は、無端ベルト３１０の外周面３１１と押圧ロール３２０の押圧面３２１との間に連続的に搬送される（供給工程）。
【００３７】
無端ベルト３１０の外周面３１１と押圧ロール３２０の押圧面３２１との間に搬送された樹脂フィルム１２は、無端ベルト３１０の外周面３１１と、その無端ベルト３１０に向けた押圧力を与えられた押圧ロール３２０の押圧面３２１との間に進入する。これにより、樹脂フィルム１２は、無端ベルト３１０の外周面３１１と押圧ロール３２０の押圧面３２１との間で挟圧される。この際、樹脂フィルム１２を挟圧する領域において、無端ベルト３１０は加熱ロール３３０によって十分に加熱されている。そのため、樹脂フィルム１２は、無端ベルト３１０によって加熱され、当該樹脂フィルム１２のガラス転移温度以上の温度にされる。このようにガラス転移温度以上の温度になった状態では、樹脂フィルム１２は軟らかくなっている。したがって、前記のような挟圧により、無端ベルト３１０の外周面３１１に接触している樹脂フィルム１２の面に、無端ベルト３１０の外周面３１１の賦型構造３１２が写し取られる（挟圧工程）。
【００３８】
その後、樹脂フィルム１２は周回する無端ベルト３１０に接触した状態を維持したままで、下流へと搬送される。本実施形態では、無端ベルト３１０の外周面３１１は賦型構造３１２を有するが、押圧ロール３２０の押圧面３２１は凹部及び凸部を有さない滑らかな面であるので、樹脂フィルム１２と無端ベルト３１０との接触面積は、樹脂フィルム１２と押圧ロール３２０との接触面積より大きい。そのため、挟圧後の樹脂フィルム１２は、押圧ロール３２０から容易に剥がれ、無端ベルト３１０と共に円滑に搬送される。したがって、押圧ロール３２０への付着による、樹脂フィルム１２の無端ベルト３１０からの剥離は生じない。そのため、無端ベルト３１０から剥離する際の伸びによる樹脂フィルム１２の変形は生じないので、無端ベルト３１０の賦型構造３１２から写し取られた樹脂フィルム１２の面形状の意図しない変形を抑制できる。
【００３９】
無端ベルト３１０には、加熱ロール３３０及び駆動ロール３４０の間の領域３１３において、矢印Ａ３５１で示すように、冷媒噴射器３５０のノズル３５１から冷媒が噴射されている。そのため、無端ベルト３１０は冷やされ、その無端ベルト３１０に接触している樹脂フィルム１２も冷やされる。これにより、樹脂フィルム１２は当該樹脂フィルム１２のガラス転移温度未満の温度となり、固化する。固化により、無端ベルト３１０の賦型構造３１２を写し取ることによって形成された樹脂フィルム１２の面形状は、固定化される（冷却工程）。
【００４０】
ここで、無端ベルト３１０は、加熱ロール３３０及び駆動ロール３４０の間の領域３１３において、そのベルト形状が平坦な状態となっている。そのため、加熱ロール３３０及び駆動ロール３４０の間の領域３１３において無端ベルト３１０に接触した状態で搬送される樹脂フィルム１２も、平坦な状態で搬送されている。
【００４１】
したがって、無端ベルト３１０の外周面３１１と押圧ロール３２０の押圧面３２１との間で挟圧されてから冷却されるまでの期間において、樹脂フィルム１２は、無端ベルト３１０の外周面３１１と接触し且つ平坦な状態を維持できる。そのため、樹脂フィルム１２の屈曲によって応力がかかったり、樹脂フィルム１２が無端ベルト３１０の外周面３１１から部分的に剥離して伸びたりすることは無い。よって、無端ベルト３１０の賦型構造３１２から写し取られた樹脂フィルム１２の面形状は、前記のような応力及び伸びによって変形しない。このため、無端ベルト３１０の賦型構造３１２から写し取られた樹脂フィルム１２の面形状の意図しない変形を抑制できる。
【００４２】
また、冷却されて固化する工程において、樹脂フィルム１２が無端ベルト３１０の外周面３１１と接触し且つ平坦な状態を維持できる。そのため、固化された樹脂フィルム１２には屈曲を生じさせうる応力が生じ難い。そのため、この固化後の樹脂フィルム１２においては、カールの発生を抑制できる。
【００４３】
その後、冷却により固化した樹脂フィルム１２は、剥離ロール３６０まで搬送される。そして、この樹脂フィルム１２が、剥離ロール３６０によって無端ベルト３１０の外周面３１１から剥離され、賦型フィルム２０が得られる（剥離工程）。このように、賦型フィルム２０は、無端ベルト３１０の外周面３１１から剥離された樹脂フィルム１２であり、無端ベルト３１０の外周面３１１に接していた面に、無端ベルト３１０の賦型構造３１２を写し取った構造を含む面形状が形成されている。以下、無端ベルト３１０の賦型構造３１２から写し取られた賦型フィルム２０の表面の構造を、適宜「転写構造」ということがある。この転写構造の形状は、無端ベルト３１０の賦型構造３１２を反転させた形状であり、具体的には、無端ベルト３１０の賦型構造３１２に平行な対称面に対して無端ベルト３１０の賦型構造３１２と面対称な形状となっている。ここで、無端ベルト３１０の賦型構造３１２に平行な対称面とは、賦型構造３１２を無視して巨視的に無端ベルト３１０の外周面３１１をみた場合に、その巨視的に見た外周面３１１に平行な面のことをいう。また、無端ベルト３１０の外周面３１１に接していた賦型フィルム２０の面において、賦型構造３１２以外の領域において無端ベルト３１０の外周面３１１と接していた領域は、通常は樹脂フィルム１２の面形状を維持している。そのため、本実施形態に係る賦型フィルム２０の表面は、転写構造を形成された幅方向の両端部以外の領域では、凹部及び凸部が無く滑らになっている。
【００４４】
無端ベルト３１０の外周面３１１から樹脂フィルム１２を剥離して賦型フィルム２０を得る際、樹脂フィルム１２には剥離のための張力がかかる。しかし、冷却による固化によって樹脂フィルム１２の機械的強度は向上しているので、剥離時の張力によって、樹脂フィルム１２の面形状は変形し難い。また、変形した場合であっても、通常はその変形は弾性変形の範囲に収まるので、剥離後に樹脂フィルム１２の面形状は速やかに元に戻る。したがって、剥離時の張力による面形状の恒久的な変形は生じ難いので、得られる賦型フィルム２０においては剥離前の樹脂フィルム１２の面形状を維持できる。
【００４５】
こうして得られた賦型フィルム２０は、図１に示すように、巻回装置４００に送られる。巻回装置４００では、図示しないモーターによって回転駆動される巻取り軸４１０が賦型フィルム２０を巻き取って、フィルムロール３０を得る（巻回工程）。
【００４６】
以上のように、本発明の第一実施形態によれば、無端ベルト３１０の賦型構造３１２から写し取られた樹脂フィルム１２の面形状の意図しない変形を抑制できるので、型である無端ベルト３１０の賦型構造３１２を精度良く写し取った面形状を有する賦型フィルム２０を、容易に製造できる。さらに、本発明の第一実施形態によれば、賦型フィルム２０のカールの原因となる応力が前記の冷却によって生じないので、カールの生じ難い賦型フィルムを容易に製造できる。
このような本実施形態に係る利点は、例えばロール又はドラムを型として用いた場合と対比すると、顕著である。
【００４７】
図４は、型としてローレットロール５１０を用いた賦型フィルムの製造装置を模式的に示す正面図である。図４に示すように、外周面５１１に賦型構造を有するローレットロール５１０と押圧ロール５２０との間で樹脂フィルム５３０を挟圧して、樹脂フィルム５３０に賦型構造を写し取る場合を想定する。この場合、挟圧された樹脂フィルム５３０は、ローレットロール５１０から剥離した後で冷却されることにより、固化する。しかし、ローレットロール５１０の外周面５１１から剥離する際、ローレットロール５１０の直ぐ下流の部分５３１では、樹脂フィルム５３０はローレットロール５１０の回転により引っ張られる。そのため、樹脂フィルム５３０には大きな張力が加わるので、賦型構造を写し取った樹脂フィルム５３０の面形状は変形（伸び、歪み等）を生じる。また、樹脂フィルム５３０を形成する樹脂の種類によっては、高温状態においてはローレットロール５１０から樹脂フィルム５３０を剥離させることが困難な場合もありえる。したがって、このようにローレットロール５１０を用いた場合、ローレットロール５１０の賦型構造を写し取る際に精度を高めることは困難である。
【００４８】
ローレットロール５１０から剥離される際の張力による樹脂フィルム５３０の面形状の変形を抑制するためには、ローレットロール５１０から剥離する前に樹脂フィルム５３０を冷却することが考えられる。しかし、そのようなローレットロール５１０は、挟圧部分での加熱と冷却部分での冷却とを同一のローレットロール５１０において行なうため、ローレットロール５１０の大型化を招く。さらに、曲面であるローレットロール５１０の外周面５１１に接触した状態において冷却を行なうので、樹脂フィルム５３０にはカールの原因となる応力が生じうる。よって、カールの抑制が困難である。
【００４９】
これに対し、本発明の第一実施形態によれば、図３に示すように、無端ベルト３１０の外周面３１１と押圧ロール３２０の押圧面３２１との間で挟圧された後、冷却して固化するまでの期間に、樹脂フィルム１２は無端ベルト３１０との接触を維持できる。そのため、意図せず引っ張られて樹脂フィルム１２が伸びることが無いので、樹脂フィルム１２の面形状の意図しない変形を抑制できる。また、無端ベルト３１０の外周面３１１と押圧ロール３２０の押圧面３２１との間で挟圧された後、冷却して固化するまでの期間に、樹脂フィルム１２は平坦な状態を維持できる。そのため、冷却前の軟らかい状態での樹脂フィルム１２の変形を抑制できるので、樹脂フィルム１２の面形状の意図しない変形を更に安定して抑制できる。さらには、無端ベルト３１０の賦型構造３１２を写し取った後の樹脂フィルム１２を、平坦な状態で冷却しているので、賦型フィルム２０のカールの原因となる応力は前記の冷却によっては生じない。したがって、本実施形態によれば、無端ベルト３１０の賦型構造３１２を精度良く写し取った面形状を有する賦型フィルム２０の製造が、容易である。
【００５０】
また、一般に無端ベルト３１０はローレットロールよりも柔軟性に優れるので、押圧ロール３２０の押圧面３２１に精密に追従して樹脂フィルム１２を挟圧できる。そのため、無端ベルト３１０を用いることにより、賦型構造３１２を、ローレットロールを用いた場合よりもムラなく樹脂フィルム１２に写し取ることができる。
【００５１】
さらに、無端ベルト３１０は、通常はローレットロールに比べて自重による撓みが小さい。そのため、ローレットロールのような撓みによる回転軸の偏心の影響を受け難いので、賦型構造３１２を樹脂フィルム１２に写し取るときの振動を抑制できる。そのため、賦型構造３１２を精密に写し取ることが可能である。
【００５２】
また、本発明者の検討によれば、賦型フィルムの製造方法としては、溶液流延法に係る支持体を型として用いる方法が考えられる。この方法では、賦型フィルムの材料を溶媒に溶解させた溶液を用意し、賦型構造を有する型としての支持体の表面に前記溶液を塗布し、溶媒を乾燥させて賦型フィルムを得ることが考えられる。しかし、この場合は、支持体が大型化するため、製造コストの増大が見込まれる。これに対し、本実施形態のように樹脂フィルム１２を当該樹脂フィルム１２のガラス転移温度以上の温度にする場合は、このような設備の大型化が不要である。このように、本実施形態に係る製造方法は、コストの点でも有利な方法である。
【００５３】
さらに、本実施形態においては、樹脂フィルム１２がガラス転移温度以上に加熱されて柔軟となった期間においては、当該樹脂フィルム１２に大きな張力が加わらない。そのため、転写構造に含まれる凹部又は凸部だけでなく、その転写構造が形成された樹脂フィルム１２自体の長手方向への伸びを抑制できる。したがって、賦型フィルム２０の寸法安定性を高めることができるので、その賦型フィルム２０を巻き取ったフィルムロール３０でのシワ及び弛みの発生を抑制できる。また、このようなフィルムロール３０から繰り出した賦型フィルム２０を別のフィルムと貼り合せる際に、シワの発生及び空気の噛み込みを抑制できる。また、フィルムロール３０から繰り出した賦型フィルム２０に液体を塗工する際に、塗工ムラを抑制できる。
【００５４】
さらに、本実施形態においては、挟圧の際、無端ベルト３１０で樹脂フィルム１２を加熱することにより、樹脂フィルム１２の温度を樹脂フィルム１２のガラス転移温度以上にしている。これにより、樹脂フィルム１２の賦型構造３１２を写し取る側の面を速やかに昇温させることができるので、樹脂フィルム１２に無端ベルト３１０の賦型構造３１２を円滑に写し取ることができる。さらに、樹脂フィルム１２の無端ベルト３１０側の樹脂がその反対側の樹脂よりも低温となることを防止できるので、挟圧後の樹脂フィルム１２が押圧ロール３２０に引っ張られて無端ベルト３１０から剥離することを更に安定して抑制できる。
【００５５】
また、一般に、ダイ１１０から押し出された樹脂フィルム１０は、その幅方向の両端部１１が厚くなる傾向がある。これに対し、本実施形態においては、溶融押出法によって製造された樹脂フィルム１０から、その幅方向の両端部１１を切り除いて得られた樹脂フィルム１２に、賦型ベルト３１０の賦型構造３１２を写し取った。そのため、厚みの均一な樹脂フィルム１２に賦型構造３１２に写し取ることができるので、厚みが一定でない樹脂フィルム１０に賦型構造３１２を写し取る場合よりもムラの無い写し取りができる。これにより、厚み精度に優れる賦型フィルム２０を得ることが可能である。
【００５６】
さらに、本実施形態においては、樹脂フィルム１２の幅方向の両端部にだけ無端ベルト３１０の賦型構造３１２を写し取ったので、賦型フィルム２０は、その幅方向の両端部にだけ転写構造を有し、両端部以外の領域には転写構造を有さない。賦型フィルム２０において、転写構造が形成されていない領域は凹部及び凸部が無く滑らになっているので、樹脂フィルム１２が有していた特性をそのまま有しうる。また、通常は、賦型フィルム２０において、転写構造が形成された領域の少なくとも一部は転写構造が形成されていない領域よりも厚み方向に突出している。そのため、賦型フィルム２０は、賦型構造が形成された幅方向の両端部において見かけ上の厚みが厚くなっているため、ハンドリング性が向上している。したがって、本実施形態で製造された賦型フィルム２０は、樹脂フィルム１２が有する特性を維持しながら、ハンドリング性を向上させることが可能である。
【００５７】
［第二実施形態］
上述した本発明の第一実施形態においては、押圧ロール３２０の位置を、無端ベルト３１０の周回方向において、無端ベルト３１０が加熱ロール３３０と接触する領域のうちで最も下流の領域３１４において、無端ベルト３１０と対向するように設けた。しかし、押圧ロール３２０の位置はこれに限定されるものではない。以下、その例を第二実施形態に示して説明する。
【００５８】
図５は、本発明の第二実施形態に係る賦型フィルムの製造装置２を模式的に示す正面図である。図５において、図１〜図３を用いて説明したものと同様の部位には、図１〜図３で用いた符号と同様の符号を付して示す。
【００５９】
図５に示すように、本発明の第二実施形態に係る製造装置２は、賦型装置３００の代わりに賦型装置６００を備えること以外は、第一実施形態に係る製造装置１と同様の構成を有する。したがって、本実施形態に係る製造装置２は、樹脂フィルム製造装置１００、トリミング装置２００、賦型装置６００及び巻回装置４００を、上流からこの順に備える。
【００６０】
賦型装置６００は、加熱ロール３３０の代わりに懸架ロール６３０を備えること、押圧ロール３２０の位置を変更したこと、及び、ヒーターとして赤外線ヒーター６７０を備えること以外は、第一実施形態に係る賦型装置３００と同様の構成を備える。
【００６１】
懸架ロール６３０は、温度調整可能でなくてもよいこと以外は第一実施形態に係る加熱ロール３３０と同様の構成を有するロールである。したがって、懸架ロール６３０には無端ベルト３１０が架けられ、懸架ロール６３０は無端ベルト３１０の周回に連動して回転できる構成を有する。
【００６２】
賦型装置６００において、押圧ロール３２０は、無端ベルト３１０の周回方向において、懸架ロール６３０よりも下流で且つ冷媒噴射器３５０によって無端ベルト３１０が冷却される領域よりも上流に設けられている。また、押圧ロール３２０は、懸架ロール６３０と駆動ロール３４０との間に架けられた無端ベルト３１０を押し込むように設けられている。そのため、賦型装置６００は、無端ベルト３１０の周回方向において、懸架ロール６３０より下流で且つ冷媒噴射器３５０によって無端ベルト３１０が冷却される領域より上流の範囲で、無端ベルト３１０の外周面３１１と押圧ロール３２０の押圧面３２１との間で樹脂フィルム１２を挟圧しうる構成を有する。
【００６３】
赤外線ヒーター６７０は、押圧ロール３２０によって押し込まれた位置において無端ベルト３１０を所望の温度まで加熱しうるように設けられている。そのため、賦型装置６００は、赤外線ヒーター６７０によって加熱された無端ベルト３１０により、無端ベルト３１０の外周面３１１と押圧ロール３２０の押圧面３２１との間で挟圧される樹脂フィルム１２の温度を、当該樹脂フィルム１２のガラス転移温度以上に加熱しうる構成を有している。
【００６４】
本発明の第二実施形態に係る製造装置２は以上のような構成を有する。この製造装置２を用いて賦型フィルム２０を製造する場合は、第一実施形態と同様に押出成型工程及びトリミング工程を行なった後で、賦型装置６００において賦型工程を行なう。
【００６５】
賦型工程では、第一実施形態と同様に、樹脂フィルム１２に無端ベルト３１０の賦型構造３１２（図２参照）を写し取って賦型フィルム２０を得る。具体的には、トリミング装置２００から送られてきた樹脂フィルム１２を無端ベルト３１０の外周面３１１と押圧ロール３２０の押圧面３２１との間に連続的に搬送する（供給工程）。その後、赤外線ヒーター６７０によって無端ベルト３１０を加熱しながら、無端ベルト３１０の外周面３１１と押圧ロール３２０の押圧面３２１との間で樹脂フィルム１２を挟圧する。これにより、樹脂フィルム１２は当該樹脂フィルム１２のガラス転移温度以上の温度となった状態で挟圧されるので、この樹脂フィルム１２に無端ベルト３１０の外周面３１１の賦型構造３１２が写し取られる（挟圧工程）。次いで、この樹脂フィルム１２を、周回する無端ベルト３１０に接触した状態を維持したままで下流へと搬送し、平坦な状態で、冷媒噴射器３５０によって樹脂フィルム１２のガラス転移未満に冷却する（冷却工程）。冷却された樹脂フィルム１２は固化し、無端ベルト３１０の賦型構造３１２を写し取ることによって形成された樹脂フィルム１２の面形状が固定化される。その後、冷却により固化した樹脂フィルム１２は、剥離ロール３６０によって無端ベルト３１０の外周面３１１から剥離され、賦型フィルム２０が得られる（剥離工程）。
【００６６】
こうして得られた賦型フィルム２０は、巻回装置４００に送られる。巻回装置４００では、第一実施形態と同様にして賦型フィルム２０を巻取り軸４１０で巻き取り、フィルムロール３０を得る（巻回工程）。
【００６７】
以上のように、本発明の第二実施形態によれば、第一実施形態と同様の効果を得ることができる。
さらに、押圧ロール３２０の位置を第一実施形態よりも自由に設定できるので、製造装置の設計の自由度を高めることが可能である。
【００６８】
［第三実施形態］
上述した本発明の第一実施形態及び第二実施形態では、外周面として押圧面３２１を有する押圧ロール３２０を押圧具に用いた例を示した。しかし、押圧具は押圧ロール３２０に限定されるものではない。以下、その例を第三実施形態に示して説明する。
【００６９】
図６は、本発明の第三実施形態に係る賦型フィルムの製造装置３を模式的に示す正面図である。図６において、図１〜図３及び図５を用いて説明したものと同様の部位には、図１〜図３及び図５で用いた符号と同様の符号を付して示す。
【００７０】
図６に示すように、本発明の第三実施形態に係る製造装置３は、賦型装置３００の代わりに賦型装置７００を備えること以外は、第一実施形態に係る製造装置１と同様の構成を有する。したがって、本実施形態に係る製造装置３は、樹脂フィルム製造装置１００、トリミング装置２００、賦型装置７００及び巻回装置４００を、上流からこの順に備える。
【００７１】
賦型装置７００は、加熱ロール３３０の代わりに懸架ロール６３０を備えること、押圧具として押圧ロール３２０の代わりに無端状の押圧ベルト７２０を備えること、並びに、懸架ロール７３０、駆動ロール７４０、加熱ロール７７０及び対向ロール７８０を備えること以外は、第一実施形態に係る賦型装置３００と同様の構成を備える。
【００７２】
懸架ロール６３０は、第二実施形態で説明したものと同様であり、温度調整可能でなくてもよいこと以外は第一実施形態に係る加熱ロール３３０と同様の構成を有するロールである。
【００７３】
押圧ベルト７２０は、懸架ロール７３０及び駆動ロール７４０の間に周回可能に架けられた無端状のベルトであり、凹部及び凸部の無い滑らかな外周面として押圧面７２１を有する。押圧ベルト７２０が架けられた懸架ロール７３０及び駆動ロール７４０は、無端ベルト３１０が架けられた懸架ロール６３０及び駆動ロール３４０の回転軸と平行な回転軸を有して設けられている。また、押圧ベルト７２０は、当該押圧ベルト７２０が樹脂フィルム１２の搬送方向に周回する領域において、押圧ベルト７２０の押圧面７２１が無端ベルト３１０の外周面３１１に対向するように設けられている。より具体的には、押圧ベルト７２０の押圧面７２１のうち、樹脂フィルム１２の搬送方向に周回する領域と、無端ベルト３１０の外表面３１１のうち、樹脂フィルム１２に接触しながら平坦な状態で樹脂フィルム１２を搬送しうる領域とが、対向するように設けられている。そのため、押圧ベルト７２０は、無端ベルト３１０の外周面３１１との押圧ベルト７２０の押圧面７２１との間で樹脂フィルム１２を挟圧しうる構成を有している。
【００７４】
懸架ロール７３０は、押圧ベルト７２０を架けられたロールであり、押圧ベルト７２０の周回に連動して回転できるように設けられている。また、駆動ロール７４０は、押圧ベルト７２０を架けられたロールであり、図示しないモーター等の駆動装置の駆動力によって回転できるように設けられている。この際、駆動ロール７４０の周速は、無端ベルト３１０を駆動する駆動ロール３４０の周速と同じに設定されている。そのため、押圧ベルト７２０は、この駆動ロール７４０の回転により駆動されて、無端ベルト３１０と同じ速度で周回できる構成を有している。
【００７５】
加熱ロール７７０及び対向ロール７８０は、互いに対向して設けられたロールであり、無端ベルト３１０及び押圧ベルト７２０の周回速度と同じ周速で回転可能に設けられている。これらの加熱ロール７７０及び対向ロール７８０は、無端ベルト３１０の周回方向において、懸架ロール６３０よりも下流で且つ冷媒噴射器３５０によって無端ベルト３１０が冷却される領域よりも上流に設けられている。また、加熱ロール７７０は無端ベルト３１０の内周面３１５に接するように設けられ、対向ロール７８０は押圧ベルト７２０の内周面７２２に接するように設けられている。さらに、加熱ロール７７０及び対向ロール７８０は互いに押圧しあうように設けられている。そのため、加熱ロール７７０及び対向ロール７８０の間で無端ベルト３１０及び押圧ベルト７２０を挟圧できるので、押圧ベルト７２０は、無端ベルト３１０の周回方向において、懸架ロール６３０より下流で且つ冷媒噴射器３５０によって無端ベルト３１０が冷却される領域より上流の範囲で、押圧ベルト７２０の押圧面７２１と無形フィルム３１０の外周面３１１との間で樹脂フィルム１２を挟圧しうる構成を有している。
【００７６】
また、加熱ロール７７０は、温度調整可能なロールであり、この加熱ロール７７０の熱によって無端ベルト３１０を所望の温度まで加熱できるように設けられている。そのため、賦型装置７００は、加熱ロール７７０によって加熱された無端ベルト３１０により、無端ベルト３１０の外周面３１１と押圧ベルト７２０の押圧面７２１との間で挟圧される樹脂フィルム１２の温度を、当該樹脂フィルム１２のガラス転移温度以上に加熱しうる構成を有している。
【００７７】
本発明の第三実施形態に係る製造装置３は以上のような構成を有する。この製造装置３を用いて賦型フィルム２０を製造する場合は、第一実施形態と同様に押出成型工程及びトリミング工程を行なった後で、賦型装置７００において賦型工程を行なう。
【００７８】
賦型工程では、第一実施形態と同様に、樹脂フィルム１２に無端ベルト３１０の賦型構造３１２（図２参照）を写し取って賦型フィルム２０を得る。具体的には、トリミング装置２００から送られてきた樹脂フィルム１２を無端ベルト３１０の外周面３１１と押圧ベルト７２０の押圧面７２１との間に連続的に搬送する（供給工程）。その後、加熱ロール７７０及び対向ロール７８０が設けられた領域において、加熱ロール７７０によって無端ベルト３１０を加熱しながら、無端ベルト３１０の外周面３１１と押圧ベルト７２０の押圧面７２１との間で樹脂フィルム１２を挟圧する。これにより、樹脂フィルム１２は当該樹脂フィルム１２のガラス転移温度以上の温度となった状態で挟圧されるので、この樹脂フィルム１２に無端ベルト３１０の外周面３１１の賦型構造３１２が写し取られる（挟圧工程）。次いで、この樹脂フィルム１２を、周回する無端ベルト３１０に接触した状態を維持したままで下流へと搬送し、平坦な状態で、冷媒噴射器３５０によって樹脂フィルム１２のガラス転移未満に冷却する（冷却工程）。冷却された樹脂フィルム１２は固化し、無端ベルト３１０の賦型構造３１２を写し取ることによって形成された樹脂フィルム１２の面形状が固定化される。その後、冷却により固化した樹脂フィルム１２は、剥離ロール３６０によって無端ベルト３１０の外周面３１１から剥離され、賦型フィルム２０が得られる（剥離工程）。
【００７９】
こうして得られた賦型フィルム２０は、巻回装置４００に送られる。巻回装置４００では、第一実施形態と同様にして賦型フィルム２０を巻取り軸４１０で巻き取り、フィルムロール３０を得る（巻回工程）。
【００８０】
以上のように、本発明の第三実施形態によれば、第一実施形態と同様の効果を得ることができる。
さらに、本実施形態では、押圧具として押圧ロールではなく押圧ベルト７２０を用いている。一般に、押圧ベルト７２０は空気よりも熱伝導率が高い。また、押圧ベルト７２０は、第一実施形態で用いた押圧ロール５２０のようなロールよりも長時間にわたって樹脂フィルム１２に接触できる。そのため、樹脂フィルム１２の加熱及び冷却を効率よく行うことができる。
【００８１】
［第四実施形態］
上述した本発明の第四実施形態では、押圧しあう加熱ロール７７０及び対向ロール７８０で無端ベルト３１０及び押圧ベルト７２０を挟圧することで、無端ベルト３１０の外周面３１１と押圧ベルト７２０の押圧面７２１との間で樹脂フィルム１２を挟圧した。しかし、押圧具として押圧ベルト７２０を用いる場合、ロール以外の機構によって樹脂フィルム１２の挟圧を行なってもよい。以下、その例を第四実施形態に示して説明する。
【００８２】
図７は、本発明の第四実施形態に係る賦型フィルムの製造装置４を模式的に示す正面図である。図７において、図１〜図３、図５及び図６を用いて説明したものと同様の部位には、図１〜図３、図５及び図６で用いた符号と同様の符号を付して示す。
【００８３】
図７に示すように、本発明の第四実施形態に係る製造装置４は、賦型装置３００の代わりに賦型装置８００を備えること以外は、第一実施形態に係る製造装置１と同様の構成を有する。したがって、本実施形態に係る製造装置４は、樹脂フィルム製造装置１００、トリミング装置２００、賦型装置８００及び巻回装置４００を、上流からこの順に備える。
【００８４】
賦型装置８００は、加熱ロール７７０及び対向ロール７８０の代わりに流体噴射器８７０及び８８０を備えること以外は、第三実施形態に係る賦型装置７００と同様の構成を備える。
【００８５】
流体噴射器８７０は、矢印Ａ８７０で示すように、無端ベルト３１０の内周面３１５に流体を噴射しうる装置である。また、流体噴射器８８０は、矢印Ａ８８０で示すように、押圧ベルト７２０の内周面７２２に流体を噴射しうる装置である。流体噴射器８７０及び流体噴射器８８０は、互いに対向して流体を噴射しうるように設けられている。また、流体噴射器８７０及び流体噴射器８８０は、無端ベルト３１０の周回方向において、懸架ロール６３０よりも下流で且つ冷媒噴射器３５０によって無端ベルト３１０が冷却される領域よりも上流に設けられている。そのため、流体噴射器８７０及び流体噴射器８８０から噴射される流体によって無端ベルト３１０及び押圧ベルト７２０が押されるので、押圧ベルト７２０は、無端ベルト３１０の周回方向において、懸架ロール６３０より下流で且つ冷媒噴射器３５０によって無端ベルト３１０が冷却される領域より上流の範囲で、押圧ベルト７２０の押圧面７２１と無形フィルム３１０の外周面３１１との間で樹脂フィルム１２を挟圧しうる構成を有している。
【００８６】
また、流体噴射器８７０は、噴射する流体の温度の調整が可能であり、この流体噴射器８７０から噴射される流体の熱によって無端ベルト３１０を所望の温度まで加熱できるように設けられている。そのため、賦型装置８００は、流体噴射器８７０が噴射する流体によって加熱された無端ベルト３１０により、無端ベルト３１０の外周面３１１と押圧ベルト７２０の押圧面７２１との間で挟圧される樹脂フィルム１２の温度を、当該樹脂フィルム１２のガラス転移温度以上に加熱しうる構成を有している。
【００８７】
本発明の第四実施形態に係る製造装置４は以上のような構成を有する。この製造装置４を用いて賦型フィルム２０を製造する場合は、第一実施形態と同様に押出成型工程及びトリミング工程を行なった後で、賦型装置８００において賦型工程を行なう。
【００８８】
賦型工程では、第一実施形態と同様に、樹脂フィルム１２に無端ベルト３１０の賦型構造３１２（図２参照）を写し取って賦型フィルム２０を得る。具体的には、トリミング装置２００から送られてきた樹脂フィルム１２を無端ベルト３１０の外周面３１１と押圧ベルト７２０の押圧面７２１との間に連続的に搬送する（供給工程）。その後、流体噴射器８７０及び８８０が設けられた領域において、流体噴射器８７０から噴射される流体によって無端ベルト３１０を加熱しながら、無端ベルト３１０の外周面３１１と押圧ベルト７２０の押圧面７２１との間で樹脂フィルム１２を挟圧する。これにより、樹脂フィルム１２は当該樹脂フィルム１２のガラス転移温度以上の温度となった状態で挟圧されるので、この樹脂フィルム１２に無端ベルト３１０の外周面３１１の賦型構造３１２が写し取られる（挟圧工程）。次いで、この樹脂フィルム１２を、周回する無端ベルト３１０に接触した状態を維持したままで下流へと搬送し、平坦な状態で、冷媒噴射器３５０によって樹脂フィルム１２のガラス転移未満に冷却する（冷却工程）。冷却された樹脂フィルム１２は固化し、無端ベルト３１０の賦型構造３１２を写し取ることによって形成された樹脂フィルム１２の面形状が固定化される。その後、冷却により固化した樹脂フィルム１２は、剥離ロール３６０によって無端ベルト３１０の外周面３１１から剥離され、賦型フィルム２０が得られる（剥離工程）。
【００８９】
こうして得られた賦型フィルム２０は、巻回装置４００に送られる。巻回装置４００では、第一実施形態と同様にして賦型フィルム２０を巻取り軸４１０で巻き取り、フィルムロール３０を得る（巻回工程）。
【００９０】
以上のように、本発明の第四実施形態によれば、第三実施形態と同様の効果を得ることができる。
【００９１】
［第五実施形態］
本発明の製造方法においては、樹脂フィルムに無端ベルトの賦型構造を写し取る工程の前に、樹脂フィルムを所定温度に維持する予備温調工程を行ってもよい。以下、その例を第五実施形態に示して説明する。
【００９２】
図８は、本発明の第五実施形態に係る賦型フィルムの製造装置５を模式的に示す正面図である。図８において、図１〜図３及び図５〜図７を用いて説明したものと同様の部位には、図１〜図３及び図５〜図７で用いた符号と同様の符号を付して示す。
【００９３】
図８に示すように、本発明の第五実施形態に係る製造装置５は、賦型装置３００の代わりに賦型装置９００を備えること以外は、第一実施形態に係る製造装置１と同様の構成を有する。したがって、本実施形態に係る製造装置５は、樹脂フィルム製造装置１００、トリミング装置２００、賦型装置９００及び巻回装置４００を、上流からこの順に備える。
【００９４】
賦型装置９００は、無端ベルト３１０の周回方向において、縣架ロール６３０の下流かつ押圧ロール３２０よりも上流の無端ベルト３１０の領域を加熱しうるヒーターとしての熱風ヒーター９７０を備えること以外は、第二実施形態に係る賦型装置６００と同様の構成を備える。
【００９５】
本発明の第五実施形態に係る製造装置５は以上のような構成を有する。この製造装置５を用いて賦型フィルム２０を製造する場合は、第一実施形態と同様に押出成型工程及びトリミング工程を行なった後で、賦型装置９００において賦型工程を行なう。ただし、本実施形態における賦型工程は、樹脂フィルム１２に賦型構造３１２を写し取る挟圧工程の前に、樹脂フィルム１２を所定温度に維持する予備温調工程を含む。
【００９６】
具体的には、本実施形態に係る賦型工程では、トリミング装置２００から送られてきた樹脂フィルム１２を無端ベルト３１０の外周面３１１と押圧ロール３２０の押圧面３２１との間に連続的に搬送する（供給工程）。また、熱風ヒーター９７０が、無端ベルト３１０に熱風を噴射することにより、無端ベルト３１０の周回方向において縣架ロール６３０の下流かつ押圧ロール３２０よりも上流の領域で無端ベルト３１０を加熱する。そして、この加熱された無端ベルト３１０によって、無端ベルト３１０の外周面３１１と押圧ロール３２０の押圧面３２１との間に搬送される前の樹脂フィルム１２を、所定温度に維持できるように加熱する（予備温調工程）。本実施形態に係る予備温調工程では、賦型装置９００に搬送される前の樹脂フィルム１２の温度よりも高く、且つ、無端ベルト３１０の外周面３１１と押圧ロール３２０の押圧面３２１との間で挟圧される時点の樹脂フィルム１２の温度よりも低い所定温度を維持できるように、樹脂フィルム１２を加熱した例を示して説明する。その後、第二実施形態と同様に、赤外線ヒーター６７０によって無端ベルト３１０を加熱しながら、無端ベルト３１０の外周面３１１と押圧ロール３２０の押圧面３２１との間で樹脂フィルム１２を挟圧する。これにより、樹脂フィルム１２は当該樹脂フィルム１２のガラス転移温度以上の温度となった状態で挟圧されるので、この樹脂フィルム１２に無端ベルト３１０の外周面３１１の賦型構造３１２が写し取られる（挟圧工程）。次いで、この樹脂フィルム１２を、周回する無端ベルト３１０に接触した状態を維持したままで下流へと搬送し、平坦な状態で、冷媒噴射器３５０によって樹脂フィルム１２のガラス転移未満に冷却する（冷却工程）。冷却された樹脂フィルム１２は固化し、無端ベルト３１０の賦型構造３１２を写し取ることによって形成された樹脂フィルム１２の面形状が固定化される。その後、冷却により固化した樹脂フィルム１２は、剥離ロール３６０によって無端ベルト３１０の外周面３１１から剥離され、賦型フィルム２０が得られる（剥離工程）。
【００９７】
こうして得られた賦型フィルム２０は、巻回装置４００に送られる。巻回装置４００では、第一実施形態と同様にして賦型フィルム２０を巻取り軸４１０で巻き取り、フィルムロール３０を得る（巻回工程）。
【００９８】
以上のように、本発明の第五実施形態によれば、第二実施形態と同様の効果を得ることができる。
さらに、本実施形態では、熱風ヒーター９７０によって、樹脂フィルム１２に賦型構造３１２を写し取る工程の前に、所定温度に樹脂フィルム１２を加熱している。したがって、樹脂フィルム１２は、所定温度まで予熱された後で、赤外線ヒーター６７０の熱によってガラス転移温度以上まで更に加熱される。これにより、樹脂フィルム１２の加熱が段階的又は徐々に行われるので、樹脂フィルム１２の急激な昇温を避けることができる。そのため、賦型構造を写し取った後の樹脂フィルム１２において、賦型構造３１２が写し取られた領域に限らず、狭圧されたいずれの領域においても、しわ等の不具合を防止できる。したがって、賦型フィルム２０の生産性を向上させることができる。この利点は、賦型構造３１２が無端ベルト３１０の全面にわたって形成される場合には、より顕著である。
【００９９】
前記の所定温度は、樹脂フィルム１２のガラス転移温度未満でもよく、樹脂フィルム１２のガラス転移温度でもよく、樹脂フィルム１２のガラス転移温度以上でもよい。中でも、賦型フィルム２０の生産性の観点から、樹脂フィルム１２のガラス転移温度又は樹脂フィルム１２のガラス転移温度未満であることが好ましい。前記の所定温度は、樹脂フィルム１２のガラス転移温度をＴｇとして、例えばＴｇ−１４０℃以上Ｔｇ未満とすることができる。
【０１００】
また、第五実施形態では、熱風ヒーター９７０によって無端ベルト３１０を加熱し、この加熱された無端ベルト３１０によって樹脂フィルム１２を所定温度に維持できるように予熱した。しかし、熱風ヒーター９７０のような非接触型ヒーターは、無端ベルト３１０を介することなく樹脂フィルム１２を予熱してもよい。例えば、上述した第五実施形態において、樹脂フィルム１２の無端ベルト３１０とは反対側に熱風ヒーター９７０を設置してもよい。このように非接触型ヒーターで樹脂フィルム１２を加熱することにより、樹脂フィルム１２を加熱する熱源が直接に接する場合に比べて、樹脂フィルム１２の表面状態を良好に保つことができる。
【０１０１】
なお、本実施形態では、無端ベルト３１０を加熱しうるヒーターとして熱風ヒーターを用いたが、これには限定されず、たとえば誘導加熱装置等の他のヒーターを用いることもできる。
また、前記予備温調工程では、たとえばフィルムの両面に熱風ヒーターを配置し、両面から樹脂フィルムを（非接触で）加熱する構成としてもよい。このような熱風ヒーターとしては、例えば、熱風ヒーター本体と、ポーラス板（多孔板）とを備える構成とし、熱風ヒーター本体からポーラス板を介して樹脂フィルムに熱風を送り、この際、樹脂フィルムを浮上加熱するような構成とすることができる。ここで、前記ポーラス板は、樹脂フィルムの片面または両面に配置することができる。
【０１０２】
［変形例］
本発明は上述した実施形態に限定されるものではなく、さらに変更して実施しうる。
例えば、上述した実施形態は、任意に組み合わせて実施してもよい。具体例を挙げると、第三実施形態に係る加熱ロール７７０と第四実施形態に係る流体噴射器８８０とを組み合わせて用いることにより、加熱ロール７７０及び流体噴射器８８０の間で無端ベルト３１０及び押圧ベルト７２０を挟圧して、押圧ベルト７２０の押圧面７２１と無形フィルム３１０の外周面３１１との間で樹脂フィルム１２を挟圧してもよい。また、例えば、第三実施形態に係る対向ロール７８０と第四実施形態に係る流体噴射器８７０とを組み合わせて用いることにより、対向ロール７８０及び流体噴射器８７０の間で無端ベルト３１０及び押圧ベルト７２０を挟圧して、押圧ベルト７２０の押圧面７２１と無形フィルム３１０の外周面３１１との間で樹脂フィルム１２を挟圧してもよい。
【０１０３】
さらに、例えば、上述した実施形態に係る製造方法は、更に任意の工程を含んでいてもよい。例えば、樹脂フィルム又は賦型フィルムを延伸する工程、樹脂フィルム又は賦型フィルムを任意のフィルムと貼り合せる工程、樹脂フィルム又は賦型フィルムに任意の表面処理を施す工程などを含んでいてもよい。
【０１０４】
また、例えば、樹脂フィルムとしては、溶融押出法によって製造されたフィルム以外に、例えば溶液流延法で製造されたフィルムを用いてもよい。また、例えば、一連の工程のなかで樹脂フィルムを製造するのではなく、別工程において製造された樹脂フィルムのフィルムロールを用意し、そのフィルムロールから樹脂フィルムを引き出して賦型装置に供給してもよい。
【０１０５】
さらに、例えば、トリミング装置によって樹脂フィルムから幅方向の両端部を切り除く工程を行なわずに、上述した実施形態に係る製造方法を行なってもよい。
また、例えば、ダイから押し出すことによって製造された樹脂フィルムを、冷却して固化させること無く賦型装置に供給してもよい。
【０１０６】
また、上述した実施形態ではいずれもロールによって無端ベルトを周回させたが、ロール以外の機構によって無端ベルトを周回させてもよい。例えば、任意の駆動装置によって回転駆動されるギアによって樹脂フィルムを周回させてもよい。ギアを用いる場合、例えば、ギアの歯に係合しうる孔などの係合部を樹脂フィルムに形成しておくことにより、その樹脂フィルムをギアの回転によって周回駆動することができる。
【０１０７】
また、ヒーターとしては、上述した実施形態で用いた加熱ロール、赤外線ヒーター、及び、加熱された流体を噴射する流体噴射器以外のものを用いてもよい。ヒーターの例を挙げると、誘導加熱ヒーターなどが挙げられる。また、例えば、賦型装置の所望の領域を覆うハウジング及びそのハウジング内の空間を加熱する熱源を備えるオーブンを、ヒーターとして用いてもよい。さらに、樹脂フィルムが挟圧される工程において当該樹脂フィルムが十分に高温であれば、賦型装置にヒーターを設けなくてもよい。
【０１０８】
また、上述した実施形態ではヒーターを樹脂フィルムよりも無端ベルトに近い方に設け、加熱された無端ベルトによって樹脂フィルムが加熱されるようにした。しかし、ヒーターの位置は変更してもよい。例えば、第三実施形態に係る加熱ロール７７０と対向ロール７８０とを入れ替える等、ヒーターを無端ベルトよりも樹脂フィルムに近い方に設けてもよい。また、例えば、第三実施形態に係る対抗ロール７８０として温度調整可能な加熱ロールを用いる等、樹脂フィルムの両側にヒーターを設けてもよい。
【０１０９】
さらに、上述した実施形態では、樹脂フィルムの幅方向の全体を加熱しうるヒーターを用いたため、樹脂フィルムを挟圧する工程において、樹脂フィルムの賦型構造を写し取らない領域が当該樹脂フィルムのガラス転移温度以上に加熱されていた。しかし、ヒーターとしては、例えば、樹脂フィルムの賦型構造を写し取る領域を樹脂フィルムのガラス転移温度以上の温度に加熱できるが、樹脂フィルムの賦型構造を写し取らない領域を加熱しないヒーターを用いてもよい。
【０１１０】
また、冷却器としては、上述した実施形態で用いた冷媒噴射器以外のものを用いてもよい。冷却器の例を挙げると、温度調整可能な冷却ロールなどが挙げられる。また、例えば、賦型装置の所望の領域を覆うハウジング及びそのハウジング内の空間を冷却する冷却機構を備える冷却室を、冷却器として用いてもよい。さらに、例えば無端ベルトが十分に長く自然放熱によって樹脂フィルムを冷却できる場合には、賦型装置に冷却器を設けなくてもよい。
【０１１１】
また、上述した実施形態では冷却器を樹脂フィルムよりも無端ベルトに近い方に設け、冷却された無端ベルトによって樹脂フィルムが冷却されるようにした。しかし、冷却器の位置は変更してもよい。例えば、第一実施形態に係る冷媒噴射器３５０を無端ベルトよりも樹脂フィルムに近い方に設けてもよい。また、例えば、樹脂フィルムの両側に冷却器を設けてもよい。
【０１１２】
冷却器は、長い時間をかけて樹脂フィルムを当該樹脂フィルムのガラス転移温度未満にまで冷却することが好ましい。したがって、ヒーターが樹脂フィルムを樹脂フィルムのガラス転移温度以上に加熱するために要する時間よりも、冷却器が樹脂フィルムを樹脂フィルムのガラス転移温度未満に冷却するために要する時間が長くなるように、賦型装置を設計することが好ましい。例えば、賦型装置に設けられる樹脂フィルムの搬送路において、ヒーターによって樹脂フィルムが加熱される範囲の長さよりも、冷却器によって樹脂フィルムが冷却される範囲の長さの方が長くなるように、賦型装置を設けることが好ましい。
【０１１３】
［無端ベルト］
無端ベルトとしては、好ましくは継ぎ目の無いベルトを用いる。
無端ベルトの材料は任意であり、金属製のベルトを用いてもよく、樹脂製のベルトを用いてもよい。中でも、熱伝導率が高い材料を用いると、樹脂フィルムの加熱及び冷却を効率良く行なえるため、好ましい。熱伝導率が高い材料としては、例えば金属が挙げられる。また、例えば、カーボンナノチューブ等の添加剤を含む樹脂製のベルト、適切な表面処理を施したベルトなどは、金属以上の熱伝導率を有しうる。
【０１１４】
無端ベルトに対する表面処理としては、例えば、張り付き抑制用のコーティング処理、赤外線吸収を向上させるためのコーティング処理；無端ベルトの耐久性を高まるためのコーティング処理などが挙げられる。
【０１１５】
無端ベルトがその外周面に有する賦型構造は、凹部、凸部、又は、凹部及び凸部の組み合わせを含みうる。この際、凹部及び凸部の形状は、賦型フィルムに形成したい転写構造に応じて設定しうる。賦型構造に含まれうる凹部又は凸部それぞれ形状の例としては、角錐形状、円錐形状、錐台形状、角柱形状、円柱形状、及び、球の一部の形状、などが挙げられる。また、賦型構造は、２種類以上の形状の凹部及び凸部を組み合わせて含んでいてもよい。
【０１１６】
無端ベルトが含む凹部及び凸部の寸法は、賦型フィルムに形成したい転写構造に応じて設定しうる。凹部の深さ及び凸部の高さは、通常０．０１μｍ以上であり、通常１００μｍ以下、好ましくは６０μｍ以下、より好ましくは２０μｍ以下である。また、凹部及び凸部の幅は、通常０．００１μｍ以上である。ただし、凹部及び凸部の寸法は、ここに挙げた数値に限定されるものではない。
【０１１７】
図９は、一例としての無端ベルト１０００を、賦型構造１０２０が形成された領域において厚み方向に平行に切った断面を模式的に示す断面図である。図９に示すように、無端ベルト１０００の外周面１０１０に形成された賦型構造１０２０は、周囲と滑らかに連続する凹部１０２１及び凸部１０２２を含んでいてもよい。
【０１１８】
さらに、無端ベルトの外表面の賦型構造には、凹部及び凸部以外に、平坦な部分が含まれていてもよい。
【０１１９】
無端ベルトは、製造しようとする賦型フィルムの面形状に応じて、当該無端ベルトの外周面の任意の位置に賦型構造を有しうる。したがって、無端ベルトは、無端ベルトの外周面の全体に賦型構造を有していてもよく、無端ベルトの外周面の一部に賦型構造を有していてもよい。例えば、幅方向の全体に転写構造を有する賦型フィルムを製造したい場合には、無端ベルトの外周面の、当該無端ベルトの幅方向の全体に賦型構造を設けてもよい。また、例えば、幅方向の一部の領域に転写構造を有する賦型フィルムを製造したい場合には、無端ベルトの外周面の、当該当該無端ベルトの前記一部の領域に接しうる領域に賦型構造を設けてもよい。さらに、例えば、無端ベルトの周方向において外周面の一部だけに賦型構造を設けてもよいが、通常は、無端ベルトの外周面の周方向の全体に賦型構造は設けられる。
【０１２０】
［樹脂フィルム］
樹脂フィルムとしては、熱可塑性樹脂からなる層を含む任意のフィルムを用いうる。この際、熱可塑性樹脂からなる層は、樹脂フィルムにおいて賦型構造を写し取る側の面に露出して設けられていることが好ましい。熱可塑性樹脂としては、例えば、ポリエステル樹脂、ポリオレフィン樹脂、ポリカーボネート樹脂、セルロースエステル樹脂、ポリスチレン樹脂、ポリウレタン樹脂、ポリスルホン樹脂、ポリフェニレンエーテル樹脂、及びアクリル樹脂等が挙げられるが、これらの限定されるものではない。中でも、機械特性、耐熱性及び透明度に優れることからポリオレフィン樹脂が好ましく、更にはノルボルネン樹脂等の脂環式ポリオレフィン樹脂が特に好ましい。
【０１２１】
また、樹脂フィルムは、１層のみからなる単層構造のフィルムであってもよく、２層以上の層を備える複層構造のフィルムであってもよい。
さらに、樹脂フィルムは、延伸処理を施されたフィルムであってもよく、延伸処理を施されていないフィルムであってもよい。
【０１２２】
前述した実施形態で説明したように、無端ベルトの賦型構造を写し取る際、樹脂フィルムは当該樹脂フィルムのガラス転移温度以上の温度とされる。ここで、樹脂フィルムのガラス転移温度とは、当該樹脂フィルムを形成する樹脂のガラス転移温度のことをいう。樹脂フィルムが異なるガラス転移温度を有する樹脂からなる樹脂層を複数備える場合には、賦型構造を写し取る樹脂層のうちで最も高いガラス転移温度を有する樹脂からなる樹脂層のガラス転移温度を、その樹脂フィルムのガラス転移温度とする。
【０１２３】
樹脂フィルムの厚みに特に制限は無いが、ロール状に巻き取れる程度の厚みを有することが好ましい。例えば、樹脂フィルムの厚みは、５μｍ〜１０００μｍとしうる。
また、樹脂フィルムの厚みムラは、小さいことが好ましい。厚みムラが小さいほど、無端ベルトの賦型構造を安定して樹脂フィルムに写し取ることが可能である。
【０１２４】
［賦型フィルム］
賦型フィルムは、樹脂フィルムに無端ベルトの賦型構造を写し取ったフィルムであり、当該賦型フィルムの表面が、無端ベルトの賦型構造を写し取った転写構造を含む面形状を有すること以外は、樹脂フィルムと同様の構成を有しうる。
【０１２５】
賦型フィルムにおいて転写構造を形成する範囲は、任意に設定しうる。したがって、賦型フィルムは、その幅方向の全体に転写構造を有していてもよく、その幅方向の一部に転写構造を有していてもよい。例えば、ハンドリング性に優れる賦型フィルムを得る観点では、賦型フィルムの幅方向の両端部だけに転写構造を設けてもよい。さらに、賦型フィルムは、その長手方向の一部に転写構造を有していてもよいが、通常は、その長手方向の全体に転写構造を有する。さらに、転写構造は、所定の間隔を空けて断続的に設けられていてもよい。この場合、賦型フィルムの表面において転写構造同士の間の領域は、通常は凹部及び凸部の無い滑らかな面形状を有する。
【０１２６】
このような賦型フィルムの用途に制限は無く、例えば光学フィルム、ナノインプリント用フィルムなど、広範な用途に用いうる。
【符号の説明】
【０１２７】
１、２、３、４及び５  賦型フィルムの製造装置
１０  樹脂フィルム
１１  樹脂フィルムの幅方向の両端部
１２  幅方向の両端部を切り除かれた樹脂フィルム
２０  賦型フィルム
３０  フィルムロール
１００  樹脂フィルム製造装置
１１０  ダイ
１２０  冷却ロール
２００  トリミング装置
２１０及び２２０  トリミングナイフ
２３０  搬送ロール
３００  賦型装置
３１０  無端ベルト
３１１  無端ベルトの外周面
３１２  賦型構造
３１３  加熱ロール及び駆動ロールの間の領域
３１４  無端ベルトが加熱ロールと接触する領域のうちで最も下流の領域
３１５  無端ベルトの内周面
３２０  押圧ロール
３２１  押圧面
３３０  加熱ロール
３４０  駆動ロール
３５０  冷媒噴射器
３５１  ノズル
３６０  剥離ロール
４００  巻回装置
４１０  巻取り軸
５１０  ローレットロール
５１１  ローレットロールの外周面
５２０  押圧ロール
５３０  樹脂フィルム
５３１  樹脂フィルムのローレットロールの直ぐ下流の部分
６００  賦型装置
６３０  懸架ロール
６７０  赤外線ヒーター
７００  賦型装置
７２０  押圧ベルト
７２１  押圧ベルトの押圧面
７２２  押圧ベルトの内周面
７３０  懸架ロール
７４０  駆動ロール
７７０  加熱ロール
７８０  対向ロール
８００  賦型装置
８７０及び８８０  流体噴射器
９００  賦型装置
９７０  熱風ヒーター
１０００  無端ベルト
１０１０  無端ベルトの外周面
１０２０  賦型構造
１０２１  凹部
１０２２  凸部
【図１】
2015182235.tif 000003
【図２】
2015182235.tif 000004
【図３】
2015182235.tif 000005
【図４】
2015182235.tif 000006
【図５】
2015182235.tif 000007
【図６】
2015182235.tif 000008
【図７】
2015182235.tif 000009
【図８】
2015182235.tif 000010
【図９】
2015182235.tif 000011